(57)【特許請求の範囲】
【請求項１】
電源と該電源の動作を制御する第１イネーブル回路部とを有する第１装置に対してデイジー・チェイン状に接続し得る少なくとも１つの第２装置であって、
前記デイジー・チェインにおいて上位の前記第２装置又は前記第１装置と接続するための第１ポートと、
前記デイジー・チェインにおいて下位の前記第２装置と接続するための第２ポートと、
前記第１装置における前記電源を動作可能又は動作不可能にするための第２イネーブル回路部と、
前記第２イネーブル回路部の動作を制御し且つ前記第２ポートを保護するアクセス・パネルと、
を具備し、
前記第２イネーブル回路部が、前記第１イネーブル回路部の動作を制御して、前記アクセス・パネルが前記第２ポートへのアクセスを拒否する配置とされたとき前記電源を動作可能にし、前記アクセス・パネルが前記第２ポートへのアクセスを許容する配置とされ且つ前記第２ポートに他の第２装置が接続されていないとき前記電源を動作不可能にするよう動作する
第２装置。
【請求項２】
前記アクセス・パネルが、前記第２装置を囲むハウジングに回動自在に取り付けられている、請求項１に記載の第２装置。
【請求項３】
前記第１イネーブル回路部及び前記第２イネーブル回路部がスイッチを備え、
前記スイッチは、前記アクセス・パネルが前記拒否する配置にあるとき、前記電源を動作可能にする第１位置にあり、前記アクセス・パネルが前記許容する配置にあるとき、前記電源を動作不可能にする第２位置にある、
請求項１又は２に記載の第２装置。
【請求項４】
前記アクセス・パネルが凸部を備え、該凸部が、前記アクセス・パネルが前記拒否する配置にあるときに前記スイッチを前記第１位置に置き、前記アクセス・パネルが前記許容する配置にあるときに前記スイッチを前記第２位置に置く、請求項３に記載の第２装置。
【請求項５】
第１装置に対してデイジー・チェイン状に接続し得る少なくとも１つの第２装置であって、
前記第１装置が、電源と、前記電源を動作可能又は動作不可能にするための第１イネーブル回路部と、第１拡張ポートと、前記第１イネーブル回路部の動作を制御し且つ前記第１拡張ポートを保護する第１アクセス・パネルとを有し、前記第１イネーブル回路部が、前記第１アクセス・パネルが閉じた状態にあるとき前記電源を動作可能にし、前記第１アクセス・パネルが開いた状態にあって前記第１拡張ポートに第２装置が接続されていないとき前記電源を動作不可能にするよう動作し、
前記第２装置が、
前記デイジー・チェインにおいて上位の前記第２装置又は前記第１装置と接続するための第２拡張ポートと、
前記デイジー・チェインにおいて下位の前記第２装置と接続するための第３拡張ポートと、
前記第１装置における前記電源を動作可能又は動作不可能にするための第２イネーブル回路部と、
前記第２イネーブル回路部の動作を制御し且つ前記第３拡張ポートを保護する第２アクセス・パネルと、
を具備し、
前記第２イネーブル回路部が、前記第１イネーブル回路部の動作を制御して、前記第２アクセス・パネルが閉じた状態にあるとき前記電源を動作可能にし、前記第２アクセス・パネルが開いた状態にあって前記第３拡張ポートに他の第２装置が接続されていないとき前記電源を動作不可能にするよう動作する
第２装置。
【請求項６】
前記第１アクセス・パネルが、前記第１装置を囲むハウジングに回動自在に取り付けられ、前記第２アクセス・パネルが、前記第２装置を囲むハウジングに回動自在に取り付けられている、請求項５に記載の第２装置。
【請求項７】
前記第１イネーブル回路部が第１スイッチを備え、前記第２イネーブル回路部が第２スイッチを備え、
前記第１スイッチは、前記第１アクセス・パネルが閉じた状態にあるとき、前記電源を動作可能にする第１位置にあり、前記第１アクセス・パネルが開いた状態にあるとき、前記電源を動作不可能にする第２位置にあり、
前記第２スイッチは、前記第２アクセス・パネルが閉じた状態にあるとき、前記電源を動作可能にする第１位置にあり、前記第２アクセス・パネルが開いた状態にあるとき、前記電源を動作不可能にする第２位置にある、
請求項５又は６に記載の第２装置。
【請求項８】
前記第１アクセス・パネルが第１凸部を備え、該第１凸部が、前記第１アクセス・パネルが閉じられたとき前記第１スイッチを前記第１位置に置き、
前記第２アクセス・パネルが第２凸部を備え、該第２凸部が、前記第２アクセス・パネルが閉じられたとき前記第２スイッチを前記第１位置に置く、
請求項７に記載の第２装置。
【請求項９】
第１装置と、該第１装置に対してデイジー・チェイン状に接続し得る少なくとも１つの第２装置とを備えるシステムであって、
前記第１装置が、
電源と、
前記電源を動作可能又は動作不可能にするための第１イネーブル回路部と、
第１拡張ポートと、
前記第１イネーブル回路部の動作を制御し且つ前記第１拡張ポートを保護する第１アクセス・パネルと、
を有し、
前記第１イネーブル回路部が、前記第１アクセス・パネルが閉じた状態にあるとき前記電源を動作可能にし、前記第１アクセス・パネルが開いた状態にあり、且つ、前記第１拡張ポートに前記第２装置が接続されていないとき前記電源を動作不可能にするよう動作し、
前記第２装置が、
前記デイジー・チェインにおいて上位の前記第２装置又は前記第１装置と接続するための第２拡張ポートと、
前記デイジー・チェインにおいて下位の前記第２装置と接続するための第３拡張ポートと、
前記第１装置における前記電源を動作可能又は動作不可能にするための第２イネーブル回路部と、
前記第２イネーブル回路部の動作を制御し且つ前記第３拡張ポートを保護する第２アクセス・パネルと、
を具備し、
前記第２イネーブル回路部が、前記第１イネーブル回路部の動作を制御して、前記第２アクセス・パネルが閉じた状態にあるとき前記電源を動作可能にし、前記第２アクセス・パネルが開いた状態にあり、且つ、前記第３拡張ポートに他の第２装置が接続されていないとき前記電源を動作不可能にするよう動作するシステム。
【請求項１０】
前記第１アクセス・パネルが、前記第１装置を囲むハウジングに回動自在に取り付けられ、前記第２アクセス・パネルが、前記第２装置を囲むハウジングに回動自在に取り付けられている、請求項９に記載のシステム。
【請求項１１】
前記第１イネーブル回路部が第１スイッチを備え、前記第２イネーブル回路部が第２スイッチを備え、
前記第１スイッチは、前記第１アクセス・パネルが閉じた状態にあるとき、前記電源を動作可能にする第１位置にあり、前記第１アクセス・パネルが開いた状態にあるとき、前記電源を動作不可能にする第２位置にあり、
前記第２スイッチは、前記第２アクセス・パネルが閉じた状態にあるとき、前記電源を動作可能にする第１位置にあり、前記第２アクセス・パネルが開いた状態にあるとき、前記電源を動作不可能にする第２位置にある、
請求項９又は１０に記載のシステム。
【請求項１２】
前記第１アクセス・パネルが第１凸部を備え、該第１凸部が、前記第１アクセス・パネルが閉じられたとき前記第１スイッチを前記第１位置に置き、
前記第２アクセス・パネルが第２凸部を備え、該第２凸部が、前記第２アクセス・パネルが閉じられたとき前記第２スイッチを前記第１位置に置く、
請求項１１に記載のシステム。
【発明の詳細な説明】
発明の分野
この発明はコンピュータ・システムの分野に関する。更に特定すると、この発明は周辺装置をコンピュータ・システムに接続するための拡張ポートに関する。
発明の背景
多くのコンピュータ・システムはいわゆる「ホット・インサーション」能力を提供する。これは、システムへの電力がオンの状態で周辺装置をシステムに接続することができるようにする。ホット・インサーション能力に関連する一つの懸念は、パワー・オンのままで装置を接続するとき、周辺バス上に常駐する或る回路が電気的過渡現象によって損傷される可能性であるということである。過去において，この問題は、メモリ装置と周辺装置がシステムに接続される点との「間に」（電気的に）バッファ回路を付加することによって処理されてきた。しかし，この技法に伴う一つの問題は、バッファ回路がシステムのコストに追加されることである。したがって、望ましいことは、ホット・インサーションの能力に関連することが多いユーザーに便利であり、且つ、電気的過渡現象に起因する損傷に対する保護のためのバッファ回路を必要とすることなく、周辺装置を処理システムに接続することができる手段を提供することである。
発明の概要
この発明は、一つの装置が電源を含む複数の装置を有する処理システムにおいて使用するための第１の装置に関係する。第１の装置は，電源を動作可能に又は動作不可能にするためのイネーブル回路部を備える。イネーブル回路部に結合されたポートは、第１の装置を処理システムにおける他の装置と接続するための接続ポートを提供する。ポートへのアクセスを許容する又は拒否するために，アクセス・パネルが取り付けられる。電源は、アクセス・パネルがポートへのアクセスを拒否するようにされるならば動作可能にされる。電源は、アクセス・パネルがポートへのアクセスを許容するようになされ且つ他の装置がポートに接続されていないならば、動作不可能にされる。
この発明の他の特徴は、添付の図面から及び詳細な説明から明らかとなろう。
【図面の簡単な説明】
この発明は例として図示されているのであって、添付図面の図に限定されるものではない。図において、同じ参照符号は同様の構成要素を指示する。
図１は、ＷｅｂＴＶクライアント・システムを示している。
図２は、ＷｅｂＴＶボックスの内部構成をブロック図の形で示している。
図３は、デイジー・チェイン状の複数の周辺装置に接続されたＷｅｂＴＶボックスを示している。
図４は、周辺装置をＷｅｂＴＶボックスに接続するための拡張ポートを示している。
図５は、デイジー・チェイン状の二つの周辺装置に接続されたＷｅｂＴＶボックスの概要図である。
詳細な説明
周辺装置の拡張ポートへの接続の前にシステム・パワー・ダウンを提供する拡張ポートについて説明する。以下の記述において、説明のために，多くの特定の詳細事項がこの発明の完全な理解を与えるために記述される。しかし、この発明をこれらの特定の詳細事項なしで実施し得ることは，当業者には明らかである。他の場合、この発明の記述を容易にするために、周知の構成や装置がブロック図の形で示される。
この発明は、電気的過渡現象に起因する損傷から保護しながら、周辺装置を処理システムへ簡便に接続するための方法及び装置を含む。一つの実施の形態においては、この発明はＷｅｂＴＶTM（以下、「ＷｅｂＴＶ」と呼ぶ）として知られたシステムに含まれる。ＷｅｂＴＶはウェブをブラウズするための表示装置として標準のテレビジョン受像機を使用し、標準の電話，ＩＳＤＮその他の同様の通信経路を用いてインターネットに接続する。ＷｅｂＴＶクライアント・システムのユーザーは、インターネットを介して通常はアクセスする一つ以上の遠隔のＷｅｂＴＶサーバーにより提供されるＷｅｂＴＶネットワーク・サービスを利用する。ＷｅｂＴＶネットワーク・サービスは，ユーザーがウェブをブラウズし、電子メールを送り、種々の他の方法でインターネットを使用することができるようＷｅｂＴＶクライアント・システムにおいて動作するソフトウェアと関連して使用される。
図１は、一つの実施の形態に係るＷｅｂＴＶクライアント・システムを示している。クライアント・システム１は電子ユニット１０（以下、「ＷｅｂＴＶボックス１０」又は「ボックス１０」と呼ぶ）、通常のテレビジョン受像機１２及び携帯型の遠隔制御装置１１を備えている。代替の実施の形態（図示せず）においては、ＷｅｂＴＶボックス１０はテレビジョン受像機１２に一体ユニットとして組み込まれる。ボックス１０は、ユーザーがウェブをブラウズし，電子メールを送り、他のＷｅｂＴＶネットワーク・サービスにアクセスすることができるグラフィカル・ユーザー・インターフェースをユーザーに提供するためのハードウェア及びソフトウェアを備える。クライアント・システム１はテレビジョン受像機１２を表示装置及びオーディオ出力装置として使用する。ボックス１０はリンク６を介してテレビジョン受像機１２と結合される。リンク６は、テレビジョンのスピーカから音声を発生させるためのオーディオ・チャンネルと、ＲＦ（高周波）、Ｓビデオ、複合ビデオその他の等価な形のビデオ・チャンネルとを備える。ボックス１０とサーバー５との間のデータ・リンク２９は慣用の電話（ＰＯＴＳ、即ち、全く旧式の電話サービス）、ＩＳＤＮ又は他の適宜のデータ接続であってよい。ボックス１０は従来の交流電力線７を介して交流電力を受け取る。遠隔制御装置１１は、ウェブのブラウズ及び他の機能を実行するためにユーザーによって使用される。代替の実施の形態においては、遠隔制御装置１１とボックス１０との間のリンクはＲＦリンク又は他の適宜の形式のリンクであり得る。
図２は、一つの実施の形態に係る、ＷｅｂＴＶボックス１０の内部構成要素を示している。クライアント・システム１の動作は中央処理装置（ＣＰＵ）２１によって制御され、ＣＰＵ２１はバス２９に結合される。バス２９は実際は、種々のブリッジ及び／又はアダプターに接続された複数の物理的なバスであり、その詳細はこの発明の理解には不要である。また、バス２９には、オーディオ出力をテレビジョン受像機１２に与えるオーディオのアナログ−デジタル変換器（ＤＡＣ）２５、及び、テレビジョン受像機１２へビデオ出力を与えるビデオ・エンコーダー２６が接続される。オーディオのＤＡＣ２５及びビデオ・エンコーダー２６の出力は通常の回路（図示せず）によって組み合わされてテレビジョン受像機１２へのリンク６を生成する。バス２９に結合されたＩＲリンク２４は、遠隔制御装置１１によって送信されたＩＲ信号を検出し、それに応答して、対応の電気信号をバス２９上に提供する。通信装置２７がバス２９に結合され、遠隔のＷｅｂＴＶサーバー及びウェブ・サーバーとの双方向データ通信を行う。通信装置２７は通常の電話モデム、ＩＳＤＮアダプター、又は他の適宜のデータ通信装置であってよい。また、バス２９には、リードオンリ・メモリ（ＲＯＭ）２２及びランダムアクセス・メモリ（ＲＡＭ）２３が結合される。ＲＯＭ２２は電気的消去可能なプログラマブルＲＯＭ（ＥＥＰＲＯＭ）又はフラッシュ・メモリなどのプログラム可能且つ消去可能なメモリを含み得る。
また、バス２９には、拡張バス２８が結合される。拡張バス２８は高速の多重化された（アドレス及びデータ）並列バスであり、種々の周辺装置をＷｅｂＴＶボックス１０へ接続するために使用される。これによってＷｅｂＴＶボックス１０は処理システムのホスト装置として機能する。拡張バス２８を用いてＷｅｂＴＶボックス１０と接続される周辺装置は、大容量記憶装置（例えば、ＣＤ−ＲＯＭ、デジタル・バーサタイル・ディスク（ＤＶＤ）、磁気ディスクなど）、マイクロホン、ビデオカメラ、ビデオチューナー、及び追加のデータ通信装置のような装置であり得る。拡張バス２８とバス２９とのインターフェースを取るために種々のアダプターを用いることができ、その詳細はこの発明の理解には不要である。
もし周辺装置がパワー・オンの状態で拡張バス２８に接続されるとすると、電気的過渡現象の結果、ＷｅｂＴＶボックス１０の或るコンポーネント、特に、拡張バス２８上に常駐するコンポーネントが損傷または破壊される可能性がある。したがって、この発明は、ユーザーがシステムから電力を除去することなく周辺装置をＷｅｂＴＶボックスに接続するときに、こうした損傷や破壊が生じないようにする。以下、これについて説明する。
図３は、この発明に係るシステムを図示しており、ＷｅｂＴＶボックス１０は拡張バス２８によってデイジー・チェイン状に複数の周辺装置と接続される。ここで，デイジー・チェインにおける装置のトポロジー的位置（即ち，スロット位置）に関する用語を定義することが有用である。この記述のため、修飾語句「デイジー・チェインにおける上位の」は、デイジー・チェインにおいて所与の装置よりもＷｅｂＴＶボックス１０にトポロジー的に近い装置を意味し、修飾語句「デイジー・チェインにおける下位の」は、デイジー・チェインにおいて所与の装置よりもＷｅｂＴＶボックス１０からトポロジー的に遠い装置を意味する。つまり、所与の装置とＷｅｂＴＶボックス１０との間にデイジー・チェイン状に接続された装置の数が多いほど、その所与の装置はデイジー・チェインにおいて「下位」にあるとみなされる。所与の装置とＷｅｂＴＶボックス１０との間にデイジー・チェイン状に接続された装置の数が少ないほど、その所与の装置はデイジー・チェインにおいて「上位」にあるとみなされる。
この発明は、周辺装置をデイジー・チェインに加えるときに電気的過渡現象に起因する損傷が生じないように設計された特徴を有する。特に、ＷｅｂＴＶボックス１０及び各周辺装置３０は拡張ポート３２及び或る関連の回路（その詳細については後述する）を備える。拡張ポート及び関連の回路は、各周辺装置及びＷｅｂＴＶボックス１０において実質的に同じであり、デイジー・チェインに既に接続されている装置に周辺装置が接続される前に自動的に電力が除去されるように設計されている。装置はデイジー・チェイン状に配置されているので、それぞれの周辺装置３０は少なくとも二つの個別の拡張ポート、即ち、デイジー・チェインにおける上位の装置（又はＷｅｂＴＶボックスそのもの）へ接続するための一つのポートと、デイジー・チェインにおける下位の装置に接続するための他のポートとを有する。所与の周辺装置３０の拡張ポート３２は、デイジー・チェインにおける下位の装置に接続することを意図したポートである。拡張ポート３２は高速の拡張バス２８の全信号を提供する。
図４は、拡張ポート３２を一層詳細に示している。図４はＷｅｂＴＶボックス１０の拡張ポート３２のみを示しているが、上記のとおり、それぞれの周辺装置３０も実質的に同じ拡張ポートを有する。拡張ポート３２はＷｅｂＴＶボックス１０のハウジング３４における開口３６によって特徴付けられる。開口３６は、種々の電気信号のための複数のピン又はソケットを提供する通常のコネクタ３５へのアクセスを提供する。拡張ポート３２が使用されないとき、開口３６はハウジングに回動可能に又は取り外し可能に結合されたアクセス・パネル３８によって覆われる。即ち、アクセス・パネル３８は例えばヒンジ型の機構で開閉され、又は、ハウジング３４から完全に取り外すことができる。
コネクタ３５に隣接して、押すことができるスイッチ３７があり、その機能の詳細を次ぎに説明する。アクセス・パネル３８は、閉じられたときにボックス１０の内側へ向かって突出する凸部３９を有する。アクセス・パネル３８が閉じられると、凸部３９はスイッチ３７を押す。以下で説明するように、スイッチ３７を押すことはＷｅｂＴＶボックス内のイネーブル回路を完成させ、ＷｅｂＴＶボックス１０内の電源を動作可能にする。イネーブル回路については詳細に後に説明する。こうして、ＷｅｂＴＶボックス１０内の電源はアクセス・パネル３８が閉じられた時に動作可能になる。アクセス・パネル３８を開くと、スイッチ３７が解放される。アクセス・ドアが開かれると、スイッチ３７は押されていないので、拡張ポート３２に他の装置が接続されていないならば、電源はイネーブル回路が切れたことに起因して動作不可能にされる。しかし、スイッチ３７は拡張ポート３２への他の装置の接続によっては押されないことに注意のこと。スイッチ３７はアクセス・パネル３８が適正に閉じられた時にのみ押される。しかし、アクセス・パネル３８が開いていて、少なくとも一つの他の装置が拡張ポート３２に接続されているならば、ＷｅｂＴＶボックス１０の電源は依然として動作可能であり得るが、これはデイジー・チェインにおける全部の装置が適正に接続されており且つデイジー・チェインにおける最下位の装置のアクセス・ドアが閉じている場合に限る。
図５は、イネーブル回路及びスイッチ３７の機能を詳細に説明する概略図を示している。それぞれの周辺装置は、上記のとおり、拡張ポート３２を有する。更に、それぞれの周辺装置３０は第２のポートを有しており、この第２のポートはデイジー・チェインにおける隣の上位側の装置の拡張ポート３２のコネクタ３５と接続するためのコネクタ４５を有する。ＷｅｂＴＶボックス１０は、電力線７を介して交流電力を受け取ってＷｅｂＴＶボックス１０内のコンポーネントに電力を供給する主電源４０を有する。更に、それぞれの周辺装置３０は専用交流電力線から電力を受け取る該周辺装置自身の専用の電源４１を有する。主電源４０は接地線ＧＮＤを介して接地される。また、主電源４０には、線ＰＷＲ＿ＤＩＳ＿Ｉ、ＰＷＲ＿ＤＩＳ＿Ｏ及び直流５ボルトの信号４２が結合される。線ＰＷＲ＿ＤＩＳ＿ＩとＰＷＲ＿ＤＩＳ＿Ｏとはイネーブル回路のセグメントを形成し、イネーブル回路の完成は主電源４０を動作可能にするために必要である。ＷｅｂＴＶボックス１０及び各周辺装置３０において、スイッチ３７が押された（閉じられた）ときに線ＰＷＲ＿ＤＩＳ＿Ｉと線ＰＷＲ＿ＤＩＳ＿Ｏとの間が短絡されるように、スイッチ３７が線ＰＷＲ＿ＤＩＳ＿Ｉと線ＰＷＲ＿ＤＩＳ＿Ｏとの間に結合される。つまり、イネーブル回路はスイッチ３７が押されたときに主電源４０を動作可能にするように完成される。
コネクタ３５は高速拡張バス２８の全信号の送信及び受信を行うためのターミナルを提供する。更に、拡張コネクタ３５は直流５ボルトの信号４２及び線ＰＷＲ＿ＤＩＳ＿Ｉ、ＰＷＲ＿ＤＳＩ＿Ｏ及びＧＮＤのためのターミナルを有しており、これらの線をデイジー・チェインにおける次ぎに下位の装置へ提供する。こうして、ＷｅｂＴＶボックス１０及び各周辺装置３０は、主電源４０を動作可能に及び動作不可能にするためのイネーブル回路の一つのセグメントを提供する。一つ以上の周辺装置がＷｅｂＴＶボックス１０の拡張ポート３２に接続されるならば、デイジー・チェイン内の全部の装置が適正に接続され且つデイジー・チェイン内の最下位の装置のアクセス・パネルが閉じている場合にのみ、イネーブル回路は完成されて主電源４０を動作可能にする。ＷｅｂＴＶボックス１０に周辺装置が接続されていないならば、主電源４０はＷｅｂＴＶボックス１０のアクセス・パネル３８が閉じている場合にのみ動作可能になる。
ここで、複数の周辺装置３０がデイジー・チェイン状にＷｅｂＴＶボックス１０に接続され、主電源４０がオンであると仮定する。また、ユーザーが周辺装置をデイジー・チェインに追加することを望むと仮定する。したがって、ユーザーはデイジー・チェインの最下位の装置のアクセス・パネル３８を開く。アクセス・パネル３８が開くと、当該装置に関連するスイッチ３７が解放され、線ＰＷＲ＿ＤＩＳ＿Ｉと線ＰＷＲ＿ＤＩＳ＿Ｏとの間に開回路を生じさせ、したがって、ＷｅｂＴＶボックス１０の主電源４０を動作不可能に（即ち、オフに）する。
デイジー・チェインにおける各周辺装置３０の電源４１は入力として信号ＰＷＲ＿ＯＫを受け取るが、信号ＰＷＲ＿ＯＫは直流５ボルトのアクティブ・ハイの信号である。各周辺装置の電源４１は入力ＰＷＲ＿ＯＫがアサート（ａｓｓｅｒｔ）されたときのみ動作可能になる。デイジー・チェインにおける最上位の周辺装置３０はＷｅｂＴＶボックス１０の主電源４０から（コネクタ３５及び４５を介して）直流５ボルトの信号４２として信号ＰＷＲ＿ＯＫを受け取る。それぞれの残りの周辺装置は、デイジー・チェインにおける隣の上位側の周辺装置の電源４１から直流５ボルトの出力４８として信号ＰＷＲ＿ＯＫを受け取る。それぞれの信号ＰＷＲ＿ＯＫは、該信号を出力する特定の電源が動作可能な（オンの）ときにのみアサートされる。つまり、各周辺装置３０の電源４１は、デイジー・チェインにおける隣の上位側の電源の状態（即ち、動作可能か、動作不可能か）に依存して、動作可能に又は動作不可能になる。ＷｅｂＴＶボックス１０の主電源４０が動作可能になると、信号ＰＷＲ＿ＯＫがアサートされてデイジー・チェインにおける最上位の周辺装置の電源４１を動作可能にする。主電源４０が既に動作不可能にされている場合には、信号ＰＷＲ＿ＯＫのアサートが解除され（ｄｅａｓｓｅｒｔｅｄ）、最上位の周辺装置３０の電源４１を動作不可能にする。これによって、デイジー・チェイン内のその後に続く各周辺装置の電源４１を動作不可能にする。こうして、デイジー・チェインにおける最下位の周辺装置のアクセス・パネル３８を開くことにより、ＷｅｂＴＶボックス１０の主電源４０を動作不可能にし、もって、デイジー・チェインにおける全周辺装置３０の電源４１を動作不可能にする。
また、ＷｅｂＴＶボックス１０はリセット回路３７を備えている。このリセット回路は、アクティブ・ローの信号ＲＥＳＥＴ＃を拡張ポート３２を介してデイジー・チェインにおける最上位の周辺装置３０から受け取る。それぞれの周辺装置３０はＲＥＳＥＴ＃線のセグメントを含む。信号ＲＥＳＥＴ＃は、アサートされると、ＷｅｂＴＶボックス１０内の全部の信号及び拡張ポートを介して提供される全部の信号を高インピーダンス・レベルにする。ＲＥＳＥＴ＃線はＷｅｂＴＶボックス１０上のドレイン開放信号である。つまり、リセット回路３７を損傷することなく、複数のソースがこの信号をローに駆動することができる。リセット回路３７の詳細はこの発明の理解には不要であり、したがって、ここでは説明しない。以下の説明から明らかになるように、いずれかの周辺装置の電源が動作不可能になるときはいつも、ＲＥＳＥＴ＃はアサートされる。こうして、デイジー・チェインにおける何れかの装置のアクセス・パネル３８が開けられると、全部の電源を動作不可能にするのに加えて、全部の信号を有効に高インピーダンス・レベルにする。
それぞれの周辺装置３０は、この発明の一つの実施の形態においてはｐチャンネル電界効果トランジスタ（ｐＦＥＴ）である電界効果トランジスタ（ＦＥＴ）４３を備えている。ｐＦＥＴ４３のソース端子４５はＲＥＳＥＴ＃線に結合される。ｐＦＥＴ４３のゲート４４は周辺装置３０の電源４１の直流５ボルト出力４８に結合される。ｐＦＥＴ４３のドレインは線ＧＲＤに結合される。
こうして、周辺装置３０の電源４１が動作不可能になると、ｐＦＥＴ４３のゲート４４が論理的ローの状態になり、これによってｐＦＥＴはオンになり、ｐＦＥＴ４３のソース４５を接地させる。ソース４５を接地すると、信号ＲＥＳＥＴ＃をアサートし、リセット回路３７は全部の信号を高インピーダンス・レベルにする。一方、周辺装置３０の電源４１が動作可能になると、ｐＦＥＴ４３のゲート４４はハイに保持され、ｐＦＥＴ４３をオフの状態に保持し、したがって、ｐＦＥＴ４３のソース４５とドレイン４６との間を開回路状態に維持する。その場合、信号ＲＥＳＥＴ＃はアサートされない。こうして、全システム（即ち、デイジー・チェインにおけるＷｅｂＴＶボックス１０及び周辺装置３０）が動作を行うためには、主電源４０及び全部の周辺装置の電源４１が動作可能であることが必要である。全システムは、供給される全部の電力が安定化したときにのみ、リセット状態から抜ける。
したがって、この発明により、ユーザーは、任意の装置内のコンポーネントを損傷することなく、及び、処理システム内の任意の装置を電源から切り離す必要なく、一つ以上の周辺装置を処理システムへ接続することができる。この発明は、こうした機能を、敏感な電子コンポーネントを保護する追加のバッファを用いることなく提供する。
こうして、これまで説明してきた拡張ポートは、装置をポートへ接続する前にシステム・パワー・ダウンを提供する。この発明を特定の例示的な実施の形態を参照して説明してきたが、請求項に記述された発明の一層広い精神及び範囲から逸脱することなく、種々の修正及び変更が可能であることは明らかである。したがって、明細書及び図面は限定的な意味ではなく例示的な意味において考慮されるべきである。
【図１】
0004311767.tif 000002
【図２】
0004311767.tif 000003
【図３】
0004311767.tif 000004
【図４】
0004311767.tif 000005
【図５】
0004311767.tif 000006